(57)【要約】【課題】認証情報照合と入力間隔照合とによる認証において、誤認証が抑制できるようにする。【解決手段】複数の要素から構成された認証情報、および認証情報を構成する要素の入力タイミングが認証タイミングとして記憶された認証情報記憶部１０１と、入力タイミングに対応するリズムを表示部１０２に表示するリズム表示制御部１０３と、入力部１０４より入力された入力認証情報および入力認証情報を構成する要素が入力されたタイミングと、認証情報記憶部１０１に記憶されている認証情報および認証タイミングとの照合を行う照合部１０５とを備える。【選択図】  図１
2013097757.tif 000002
【特許請求の範囲】
【請求項１】
複数の要素から構成された認証情報、および前記認証情報を構成する要素の入力タイミングが認証タイミングとして記憶された認証情報記憶部と、
前記入力タイミングに対応するリズムを表示部に表示するリズム表示制御手段と、
複数の要素から構成されて入力部より入力された入力認証情報および前記入力認証情報を構成する要素が入力されたタイミングと、前記認証情報記憶部に記憶されている前記認証情報および前記認証タイミングとの照合を行う照合手段と
を備えることを特徴とする認証システム。
【請求項２】
請求項１記載の認証システムにおいて、
前記認証情報は、文字列，数列，音階，図形，音声，および振動の少なくとも１つであることを特徴とする認証システム。
【請求項３】
請求項１または２記載の認証システムにおいて、
前記リズム表示制御手段は、前記入力タイミングに対応するリズムを目盛で表示部に表示することを特徴とする認証システム。
【請求項４】
請求項１〜３のいずれか１項に記載の認証システムにおいて、
前記入力部を押下する圧力の変化を検出する圧力変化検出手段を備え、
前記認証情報記憶部は、前記認証情報および前記認証タイミングに加えて圧力情報を記憶し、
前記照合手段は、前記入力認証情報および前記タイミングと、前記認証情報および前記認証タイミングとの照合に加え、前記圧力変化検出手段が検出した圧力の状態と前記認証情報記憶部に記憶されている圧力情報との照合を行う
ことを特徴とする認証システム。
【請求項５】
請求項１〜４のいずれか１項に記載の認証システムにおいて、
装置本体の角度の変化を検出する角度変化検出手段を備え、
前記認証情報記憶部は、前記認証情報および前記認証タイミングに加えて角度情報を記憶し、
前記照合手段は、前記入力認証情報および前記タイミングと、前記認証情報および前記認証タイミングとの照合に加え、前記角度変化検出手段が検出した角度の状態と前記認証情報記憶部に記憶されている角度情報との照合を行う
ことを特徴とする認証システム。
【請求項６】
請求項１〜５のいずれか１項に記載の認証システムにおいて、
前記入力部に接触する面積を検出する接触面積検出手段を備え、
前記認証情報記憶部は、前記認証情報および前記認証タイミングに加えて面積情報を記憶し、
前記照合手段は、前記入力認証情報および前記タイミングと、前記認証情報および前記認証タイミングとの照合に加え、前記接触面積検出手段が検出した面積の状態と前記認証情報記憶部に記憶されている面積情報との照合を行う
ことを特徴とする認証システム。
【発明の詳細な説明】
【技術分野】
【０００１】
本発明は、情報処理装置の利用者の認証を行うための認証システムに関する。
【背景技術】
【０００２】
一般に、情報処理装置などの利用においては、利用者の認証が行われている。このような認証の手段として、暗証番号入力，ＩＣカード認証，指紋認証，指静脈認証，虹彩認証が用いられている。この中で、暗証番号入力以外の認証方法では、専用の認証機器が必要となり、高価な機器を搭載することになり高コストとなる。また、持ち運びをする携帯端末装置においては、持ち運びの際の衝撃およびごみの付着などにより、認証機器が損傷しやすいなどの問題がある。また、指紋認証では、汗や水などにより、誤認証が頻発するなどの問題がある。
【０００３】
一方、暗証番号入力は、簡便な方法であるが、利用者が覚えやすくするために、生年月日や電話番号などを暗証番号に利用してしまうなど、他人に簡単に予測されやすい番号が用いられやすい問題がある。また、このような暗証番号を用いると、予期せぬ犯罪の手口となってしまう危険性もあった。
【０００４】
簡便な暗証番号入力において、上述したような問題を解消するために、暗証番号（パスワード）照合に加え、キーの入力間隔照合を行い、本人認証のセキュリティーレベルを向上させる技術が提案されている（特許文献１参照）。
【先行技術文献】
【特許文献】
【０００５】
【特許文献１】特開２０１０−１７６５６２号公報
【発明の概要】
【発明が解決しようとする課題】
【０００６】
しかしながら、上述した認証技術では、利用者の入力間隔（タイミング）が、常に一定にはならないため、信頼性に欠け、実用的ではないという問題がある。例えば、急いでいるときなど、利用者の精神的な状況により、入力タイミングは大きく異なる場合が発生する。このように、一定にならない利用者の入力タイミングに対し、装置の側で記憶されている入力タイミングは変化しないため、誤認証が発生することになる。
【０００７】
本発明は、以上のような問題点を解消するためになされたものであり、認証情報照合と入力間隔照合とによる認証において、誤認証が抑制できるようにすることを目的とする。
【課題を解決するための手段】
【０００８】
本発明に係る認証システムは、複数の要素から構成された認証情報、および認証情報を構成する要素の入力タイミングが認証タイミングとして記憶された認証情報記憶部と、入力タイミングに対応するリズムを表示部に表示するリズム表示制御手段と、複数の要素から構成されて入力部より入力された入力認証情報および入力認証情報を構成する要素が入力されたタイミングと、認証情報記憶部に記憶されている認証情報および認証タイミングとの照合を行う照合手段とを備える。認証情報は、文字列，数列，音階，図形，音声，および振動の少なくとも１つあればよい。また例えば、リズム表示制御手段は、入力タイミングに対応するリズムを目盛で表示部に表示する。
【０００９】
上記認証システムにおいて、入力部を押下する圧力の変化を検出する圧力変化検出手段を備え、認証情報記憶部は、認証情報および認証タイミングに加えて圧力情報を記憶し、照合手段は、入力認証情報およびタイミングと、認証情報および認証タイミングとの照合に加え、圧力変化検出手段が検出した圧力の状態と認証情報記憶部に記憶されている圧力情報との照合を行うようにしてもよい。
【００１０】
上記認証システムにおいて、装置本体の角度の変化を検出する角度変化検出手段を備え、認証情報記憶部は、認証情報および認証タイミングに加えて角度情報を記憶し、照合手段は、入力認証情報およびタイミングと、認証情報および認証タイミングとの照合に加え、角度変化検出手段が検出した角度の状態と認証情報記憶部に記憶されている角度情報との照合を行うようにしてもよい。
【００１１】
上記認証システムにおいて、入力部に接触する面積を検出する接触面積検出手段を備え、認証情報記憶部は、認証情報および認証タイミングに加えて面積情報を記憶し、照合手段は、入力認証情報およびタイミングと、認証情報および認証タイミングとの照合に加え、接触面積検出手段が検出した面積と認証情報記憶部に記憶されている面積情報との照合を行うようにしてもよい。
【発明の効果】
【００１２】
以上説明したように、本発明によれば、入力タイミングに対応するリズムを表示部に表示するリズム表示制御手段を備えるようにしたので、認証情報照合と入力間隔照合とによる認証において、誤認証が抑制できるようになるという優れた効果が得られる。
【図面の簡単な説明】
【００１３】
【図１】図１は、本発明の実施の形態１における認証システムの構成を示す構成図である。
【図２】図２は、一定の時間間隔で点滅する目盛（リズムインジケータ）の一例を示す説明図である。
【図３】図３は、本発明の実施の形態１における認証システムの動作例を示すフローチャートである。
【図４】図４は、本発明の実施の形態２における認証システムの構成を示す構成図である。
【図５】図５は、本発明の実施の形態２における認証システムの動作例を示すフローチャートである。
【図６】図６は、タッチパネルによる表示例を示した説明図である。
【発明を実施するための形態】
【００１４】
以下、本発明の実施の形態について図を参照して説明する。
【００１５】
［実施の形態１］
はじめに、本発明の実施の形態１について説明する。図１は、本発明の実施の形態１における認証システムの構成を示す構成図である。この認証システムは、まず、複数の要素から構成された認証情報、および認証情報を構成する要素の入力タイミングが認証タイミングとして記憶された認証情報記憶部１０１を備える。認証情報としては、文字列，数列，音階，図形，音声，および振動などがある。図形は、例えば、多角形などの複数の線分（要素）から構成されたものである。音声は、「ロックカイジョ」などの複数の音素（要素）から構成されたものである。また、音声としては、言葉に限るものではなく、口笛などの音素の組み合わせでもよい。振動としては、情報処理装置本体を直接揺らす、軽く叩くなどのことにより発生する振動を認証情報とする。また、文字列，数列，音階，図形，音声，および振動を組み合わせて認証情報としてもよい。これらの認証情報は、利用者により予め登録されているものである。
【００１６】
また、この認証システムは、入力タイミングに対応するリズムを表示部１０２に表示するリズム表示制御部１０３を備える。例えば、リズムを、点灯や点滅で表示する。また、複数の要素から構成されて入力部１０４より入力された入力認証情報および入力認証情報を構成する要素が入力されたタイミングと、認証情報記憶部１０１に記憶されている認証情報および認証タイミングとの照合を行う照合部１０５を備える。照合部１０５は、入力認証情報と認証情報とが一致し、入力されたタイミングと認証タイミングとが、例えば、設定されている一致率の範囲で一致していれば、認証されたものと判断する。この認証の結果、例えば、利用者は、この認証システムを備える情報処理装置の利用が可能となる。情報処理装置としては、例えば、携帯端末装置や携帯電話などがある。
【００１７】
ここで、リズム表示制御部１０３は、リズムを目盛（リズムインジケータ）で表示部１０２に表示する。例えば、図２の（ａ）〜（ｊ）に示すように、一定の時間間隔で点灯部が左から右に移動する目盛を表示する。この時間間隔は、認証情報記憶部１０１に記憶されている入力タイミングに対応するものであり、利用者による認証情報入力タイミングの指標となるものである。
【００１８】
例えば、点灯部が１つ右に移動する時間間隔を基本時間とする。また、認証情報記憶部１０１には、認証情報として「１２３４５」が記憶されているものとする。また、認証情報記憶部１０１には、「１」が入力されてから基本時間の４倍が経過した後、「２」が入力され、この次に基本時間の後、「３」が入力され、この次に基本時間の後、「４」が入力され、この次に基本時間の３倍が経過した後、「５」が入力されるという入力タイミングが記憶されているものとする。
【００１９】
上述した認証情報記憶部１０１に記憶されている認証情報および入力タイミングに対し、図２の（ａ）が表示されるタイミングに合わせて「１」を入力し、図２の（ｅ）が表示されるタイミングに合わせて「２」を入力し、図２の（ｆ）が表示されるタイミングに合わせて「３」を入力し、図２の（ｇ）が表示されるタイミングに合わせて「４」を入力し、図２の（ｊ）が表示されるタイミングに合わせて「５」を入力すれば、入力認証情報と認証情報とが一致し、入力されたタイミングと認証タイミングとが一致することになる。
【００２０】
また、認証情報記憶部１０１には、認証情報として音声の「ロックカイジョ」が記憶されているものとする。また、認証情報記憶部１０１には、「ロッ」が入力されてから基本時間が経過した後、「ク」が入力され、この次に基本時間の４倍が経過した後、「カ」が入力され、この次に基本時間の２倍が経過した後、「イ」が入力され、この次に基本時間の後、「ジョ」が入力されるという入力タイミングが記憶されているものとする。
【００２１】
この場合、上述した認証情報記憶部１０１に記憶されている認証情報および入力タイミングに対し、図２の（ａ）が表示されるタイミングに合わせて「ロッ」の音素を入力し、図２の（ｂ）が表示されるタイミングに合わせて「ク」の音素を入力し、図２の（ｆ）が表示されるタイミングに合わせて「カ」の音素を入力し、図２の（ｈ）が表示されるタイミングに合わせて「イ」の音素を入力し、図２の（ｉ）が表示されるタイミングに合わせて「ジョ」の音素を入力すれば、入力認証情報と認証情報とが一致し、入力されたタイミングと認証タイミングとが一致することになる。
【００２２】
次に、本実施の形態における認証システムの動作例について、図３のフローチャートを用いて説明する。まず、ステップＳ３０１で、リズム表示制御部１０３が、表示部１０２にリズムを表示する。例えば、一定の時間間隔で点滅する目盛を表示部１０２に表示する。
【００２３】
次に、ステップＳ３０２で、照合部１０５が、利用者による入力部１０４の操作による認証情報の入力を受け付けると、ステップＳ３０３で、照合部１０５は、入力部１０４より入力された入力認証情報および入力認証情報を構成する各要素が入力されたタイミングと、認証情報記憶部１０１に記憶されている認証情報および認証タイミングとの照合を行う。照合部１０５は、入力認証情報と認証情報とが一致し、入力されたタイミングと認証タイミングとが、設定されている一致率の範囲で一致していれば、認証されたものと判断する。
【００２４】
以上に説明したように、本実施の形態によれば、利用者は、表示部１０２に表示されるリズムに合わせて記憶している認証情報を入力すれば、入力タイミングが、常に一定になるため、入力の不安定さによりタイミングがずれることによる誤認証が抑制できるようになる。また、リズムの基本となる時間の間隔を、認証を行う毎に変更すれば、より高いセキュリティーが得られるようになる。例えば、認証情報として音声を用いる場合、音声は第３者に聞き取られて傍受されやすいが、入力タイミングを傍受することは困難なため、利用者本人以外は、認証を行うことが困難となる。
【００２５】
［実施の形態２］
次に、本発明の実施の形態２について説明する。図４は、本発明の実施の形態２における認証システムの構成を示す構成図である。この認証システムは、認証情報記憶部４０１，表示部４０２，リズム表示制御部４０３，入力部４０４，入力判定部４０５，入力情報照合部４０６，圧力変化検出部４０７，圧力情報照合部４０８，角度変化検出部４０９，角度情報照合部４１０，接触面積検出部４１１，面積情報照合部４１２，リズム照合部４１３，および認証部４１４を備える。
【００２６】
認証情報記憶部４０１は、文字列，数列，音階，図形，音声，および振動から構成された認証情報、および認証情報の入力タイミング（認証タイミング）を記憶している。また、認証情報記憶部４０１は、上述した認証情報の入力における圧力変化の情報，認証情報を入力したときの装置本体の角度の情報，認証情報が入力された時の接触面積の情報を、入力状態認証情報として記憶している。接触面積は、例えば、入力操作における利用者の指が入力部に接触した面積である。
【００２７】
リズム表示制御部４０３は、リズムを目盛で表示部４０２に表示する。例えば、図２の（ａ）〜（ｊ）に示すように、一定の時間間隔で点灯部が左から右に移動する目盛を表示する。
【００２８】
入力部４０４は、例えば平板状の接触センサから構成されたタッチパッドおよびマイク、角速度センサを内蔵した情報処理装置本体などである。利用者は、入力部４０４の入力面を指でなぞるなどの操作をすることで、文字列、数列、音階、および図形などの入力を行う。また、利用者は、マイクに向かって音声を発することで、音声入力を行う。また、利用者は、情報処理装置本体を直接揺らす、軽く叩くことで振動入力を行う。入力判定部４０５は、利用者の操作により入力部４０４に入力された情報が、文字列，数列，音階，図形，音声，および振動のいずれであるかを判別する。入力判定部４０５は、入力された情報を判定結果と共に入力情報照合部４０６に通知する。なお、これらの判断・判定は、公知の形状認識技術および音声、振動認識技術などを用いればよい。
【００２９】
入力情報照合部４０６は、文字列照合機能部４６１，数列照合機能部４６２，音階照合機能部４６３，図形照合機能部４６４，音声照合機能部４６５，および振動照合機能部４６６を備える。入力情報照合部４０６は、通知された判定結果に対応し、入力された情報をいずれかの機能部に受け渡す。判定結果が文字列の場合、入力された情報を文字列照合機能部４６１に受け渡す。判定結果が数列の場合、入力された情報を数列照合機能部４６２に受け渡す。判定結果が音階の場合、入力された情報を音階照合機能部４６３に受け渡す。判定結果が図形の場合、入力された情報を図形照合機能部４６４に受け渡す。判定結果が音声の場合、入力された情報を音声照合機能部４６５に受け渡す。判定結果が振動の場合、入力された情報を振動照合機能部４６６に受け渡す。
【００３０】
文字列照合機能部４６１は、入力部４０４に入力された文字列と、認証情報記憶部４０１に記憶されている認証情報とを照合する。数列照合機能部４６２は、入力部４０４に入力された数列と、認証情報記憶部４０１に記憶されている認証情報とを照合する。音階照合機能部４６３は、入力部４０４に入力された音階と、認証情報記憶部４０１に記憶されている認証情報とを照合する。図形照合機能部４６４は、入力部４０４に入力された図形と、認証情報記憶部４０１に記憶されている認証情報とを照合する。音声照合機能部４６５は、入力部４０４に入力された音声と、認証情報記憶部４０１に記憶されている認証情報とを照合する。振動照合機能部４６６は、入力部４０４に入力された振動と、認証情報記憶部４０１に記憶されている振動情報とを照合する。なお、各照合においては、公知の照合技術を用いればよい。
【００３１】
圧力変化検出部４０７は、例えば圧力センサなどから構成され、入力部４０４を押下する圧力の変化を検出する。圧力変化検出部４０７は、例えば、利用者による入力部４０４への認証情報の入力操作における圧力の変化を検出する。圧力情報照合部４０８は、認証情報記憶部４０１に認証情報の入力における圧力変化の情報が記憶されている場合、圧力変化検出部４０７により圧力変化が検出されると、検出された圧力変化と、認証情報記憶部４０１に記憶されている圧力変化の情報とを照合する。
【００３２】
角度変化検出部４０９は、例えば、角速度センサなどから構成され、装置本体の角度や角度変化を検出する。角度情報照合部４１０は、認証情報記憶部４０１に記憶されている装置本体の角度の情報と、角度変化検出部４０９が検出した装置本体の角度とを照合する。
【００３３】
接触面積検出部４１１は、利用者が認証情報を入力しているときに、入力部４０４に接触している物体の接触面積の状態を検出する。例えば、入力部４０４に対して接触している指の接触面積が変化したこと、また、接触している指の数が変化したことなどを検出する。これらの接触面積の状態の検出は、公知の検出技術を用いればよい。面積情報照合部４１２は、接触面積検出部４１１が検出した面積の状態と、認証情報記憶部４０１に記憶されている面積情報とを照合する。
【００３４】
リズム照合部４１３は、入力部４０４に入力された入力認証情報の各要素が入力されたタイミングと認証情報記憶部４０１に記憶されている認証タイミングとの照合を行う。認証部４１４は、入力情報照合部４０６，圧力情報照合部４０８，角度情報照合部４１０，面積情報照合部４１２，およびリズム照合部４１３の照合の結果をもとに認証を行う。認証が行われることで、利用者は、この認証システムを備える情報処理装置の利用が可能となる。
【００３５】
次に、実施の形態２における認証システムの動作例について、図５のフローチャートを用いて説明する。
【００３６】
認証動作が開始されると、まず、ステップＳ５０１で、認証部４１４が、表示部４０２に認証のための画面を表示し、また、ステップＳ５０２で、時間の計測を開始する。次いで、ステップＳ５０３で、リズム表示制御部４０３が、表示部４０２にリズムを表示する。例えば、一定の時間間隔で点滅する目盛を表示部４０２に表示する。
【００３７】
次に、ステップＳ５０４で、入力判定部４０５が、利用者の操作による入力部４０４に対する入力が文字であることを判断する。文字入力であることが判定されると（ステップＳ５０４のＹ）、ステップＳ５０５で、入力情報照合部４０６の文字列照合機能部４６１が、入力部４０４に入力された文字列と、認証情報記憶部４０１に記憶されている認証情報とを照合し、ステップＳ５１６に進む。
【００３８】
一方、入力判定部４０５は、文字入力ではないと判定すると（ステップＳ５０４のＮ）、ステップＳ５０６に進み、利用者の操作による入力部４０４に対する入力が数字であることを判断する。数字入力であることが判定されると（ステップＳ５０６のＹ）、ステップＳ５０７で、入力情報照合部４０６の数列照合機能部４６２が、入力部４０４に入力された数列と、認証情報記憶部４０１に記憶されている認証情報とを照合し、ステップＳ５１６に進む。
【００３９】
一方、入力判定部４０５は、数列入力ではないと判定すると（ステップＳ５０６のＮ）、ステップＳ５０８に進み、利用者の操作による入力部４０４に対する入力が音階であることを判断する。音階入力であることが判定されると（ステップＳ５０８のＹ）、ステップＳ５０９で、入力情報照合部４０６の音階照合機能部４６３が、入力部４０４に入力された音階と、認証情報記憶部４０１に記憶されている認証情報とを照合し、ステップＳ５１６に進む。
【００４０】
一方、入力判定部４０５は、音階入力ではないと判定すると（ステップＳ５０８のＮ）、ステップＳ５１０に進み、利用者の操作による入力部４０４に対する入力が図形であることを判断する。図形入力であることが判定されると（ステップＳ５１０のＹ）、ステップＳ５１１で、入力情報照合部４０６の図形照合機能部４６４が、入力部４０４に入力された図形と、認証情報記憶部４０１に記憶されている認証情報とを照合し、ステップＳ５１６に進む。
【００４１】
一方、入力判定部４０５は、図形入力ではないと判定すると（ステップＳ５１０のＮ）、ステップＳ５１２に進み、利用者の操作による入力部４０４に対する入力が音声であることを判断する。音声入力であることが判定されると（ステップＳ５１２のＹ）、ステップＳ５１３で、入力情報照合部４０６の音声照合機能部４６５が、入力部４０４に入力された音声と、認証情報記憶部４０１に記憶されている認証情報とを照合し、ステップＳ５１６に進む。
【００４２】
一方、入力判定部４０５は、音声入力ではないと判定すると（ステップＳ５１２のＮ）、ステップＳ５１４に進み、利用者の操作による入力部４０４に対する入力が、装置本体を直接揺らす、軽く叩くなどの振動入力であることを判断する。振動入力であることが判定されると（ステップＳ５１４のＹ）、ステップＳ５１５で、入力照合部４０６の振動照合機能部４６６が、入力部４０４に入力された振動と、認証情報記憶部４０１に記憶されている認証情報とを照合し、ステップＳ５１６に進む。一方、入力判定部４０５により、振動入力ではないと判定されると（ステップＳ５１４のＮ）、ステップＳ５０３に戻る。
【００４３】
上述したステップＳ５０４〜ステップＳ５１５により、認証情報による照合が行われると、ステップＳ５１６で、圧力変化検出部４０７による圧力変化の検出が判断される。圧力変化が検出されていると（ステップＳ５１６のＹ）、ステップＳ５１７で、圧力情報照合部４０８が、検出された圧力変化と、認証情報記憶部４０１に記憶されている圧力変化の情報とを照合する。ここで、圧力情報照合部４０８は、認証情報記憶部４０１に圧力変化の情報が記憶されていない場合、一致したものとして照合結果を出力する。
【００４４】
次に、ステップＳ５１８で、角度変化検出部４０９による装置本体の角度変化の検出が判断される。角度変化が検出されていると（ステップＳ５１８のＹ）、ステップＳ５１９で、角度情報照合部４１０が、検出された角度情報と、認証情報記憶部４０１に記憶されている装置本体の角度の情報とを照合する。ここで、角度情報照合部４１０は、認証情報記憶部４０１に角度情報が記憶されていない場合、一致したものとして照合結果を出力する。
【００４５】
次に、ステップＳ５２０で、接触面積検出部４１１による面積の状態変化の検出が判断される。面積の状態変化が検出されていると（ステップＳ５２０のＹ）、ステップＳ５２１で、面積情報照合部４１２が、検出された接触面積情報と認証情報記憶部４０１に記憶されている面積の情報とを照合する。ここで、面積情報照合部４１２は、認証情報記憶部４０１に面積の情報が記憶されていない場合、一致したものとして照合結果を出力する。
【００４６】
次に、ステップＳ５２２で、リズム照合部４１３は、入力部４０４に入力された認証情報が入力されたタイミングと、認証情報記憶部４０１に記憶されている認証タイミングとの照合を行う。
【００４７】
以上のようにして各照合を行った後、設定されている時間（照合時間）が経過した後（ステップＳ５２３）、認証部４１４が、各照合部の照合結果をもとに認証を行う（ステップＳ５２４）。認証部４１４は、全ての照合結果が一致したものとされている場合（ステップＳ５２４のＹ）、認証されたものとし、ステップＳ５２５で、認証システムが設けられている情報処理装置のロックを解除する。一方、いずれかの照合結果に一致しないものが存在した場合（ステップＳ５２４のＮ）、ステップＳ５２６で、利用者に対して認証が誤っていることを通知する。例えば、表示部４０２に「認証不可」などを表示すればよい。また、音声出力機能などを用い、合成音声により認証誤りを通知してもよい。
【００４８】
以上に説明したように、実施の形態２における認証システムによれば、認証情報を入力する入力タイミングが、常に一定になるため、入力の不安定さによりタイミングがずれることによる誤認証が抑制できるようになる。また、入力時における入力部に対する圧力、入力時の装置本体の角度、入力時における接触面積などを検出し、これらを照合に利用するので、利用者の識別がより正確になり、より高い認証の精度が得られるようになる。
【００４９】
なお、本発明は以上に説明した実施の形態に限定されるものではなく、本発明の技術的思想内で、当分野において通常の知識を有する者により、多くの変形および組み合わせが実施可能であることは明白である。例えば、前述した実施の形態では、リズムを図形が配列されている目盛の点滅で表示するようにしたが、これに限るものではなく、文字列，数列，音階（音符）など表示し、これらの点滅でリズムを示すようにしてもよい。
【００５０】
また、例えば、入力部と表示部とを組み合わせたタッチパネルを用いるようにしてもよい。タッチパネルに文字入力用のキーおよびテンキーなどを表示し、表示されているキーの押下により、認証要素の入力を受け付けるようにしてもよい。例えば、図６に示すように、タッチパネル６０１に、リズムインジケータ６０２とともにテンキー６０３を表示する。
【００５１】
この場合、例えば、キーの配列を、認証動作を行う毎に無作為に変更してもよい。このようにすることで、認証要素の入力を第３者に見られていても、キータッチの位置から認証要素を推測されることが防げるようになる。また、タッチパネルに五線譜や音符、ピアノの鍵盤、または、ギターの弦と指版などを表示し、音階が容易に入力できるようにしてもよい。この場合、リズムに加え、タッチの強弱などを認証に用いるようにしてもよい。
【００５２】
ここで、上述した認証システムは、ＣＰＵと主記憶装置と外部記憶装置とネットワーク接続装置などを備えたコンピュータ機器により実現されるものであり、主記憶装置に展開されたプログラムによりＣＰＵが動作することで、上述した各機能が実現される。また、各機能は、複数のコンピュータ機器に分散させるようにしてもよい。例えば、認証情報記憶部は、インターネットを介して接続する他のサーバに設けられているようにしてもよい。このようにすることで、利用者が情報処理装置を紛失した際に、認証情報などが当該情報処理装置より流出することがない。
【符号の説明】
【００５３】
１０１…認証情報記憶部、１０２…表示部、１０３…リズム表示制御部、１０４…入力部、１０５…照合部。
【図１】
2013097757.tif 000003
【図３】
2013097757.tif 000004
【図４】
2013097757.tif 000005
【図５】
2013097757.tif 000006
【図２】
2013097757.tif 000007
【図６】
2013097757.tif 000008